【事件の表示】
　特願２０００−１７７３３８号「ショーケース」拒絶査定不服審判事件〔平成１３年１２月２５日出願公開、特開２００１−３５３０４９号〕について、次のとおり審決する。
【結　論】
　本件審判の請求は、成り立たない。
【理　由】
１．手続の経緯・本願発明
　本願は、平成１２年６月１３日の出願であって、平成１７年８月９日付けで拒絶査定がなされ、これに対し、同年１０月６日に拒絶査定不服審判の請求がなされたものであり、その請求項１に係る発明は、平成１７年１０月６日付け手続補正書により補正された明細書及び図面の記載からみて、その特許請求の範囲の請求項１に記載された事項により特定される、次のとおりのものと認める。（以下、「本願発明」という。）
　
「商品を載置する棚と、棚の上面側を加温する加温手段と、商品の広告等に用いる表示部材を保持する表示部材保持部とを備え、表示部材保持部を棚の前面側に設けたショーケースにおいて、
　前記表示部材保持部を、前記棚の前面と間隔をおいて設けるとともに、棚の下面側にのみ固定された取付部を介して棚に取付け、　
　表示部材保持部と取付部とを互いに連結された別部材によって形成した　
　ことを特徴とするショーケース。」
　
２．引用例
　これに対して、原査定の拒絶の理由に引用された、本願の出願前に頒布された刊行物である特開２０００−１４６４２６号公報（以下、「引用例」という。）には、図面とともに次の事項が記載されている。
　ａ．「本発明は前記事情に鑑みて創作されたもので、その目的とするところは、耐熱性が低い表示部材を商品加温用の棚部材に取り付けた場合でもこの表示部材が熱的ダメージを受け難いショーケースの棚構造を提供することにある。」（段落【０００７】）
　ｂ．「前記目的を達成するため、本発明は、陳列商品を加温するためのヒータを内蔵した棚部材の前部に、この棚部材上に陳列される商品や上下側の棚部材上に陳列される商品の冷却・加温状態を表示するための表示部材が着脱自在に取り付けられる表示取付部材を備えたショーケースの棚構造において、前記棚部材から前記表示取付部材の表示部材取付部位への熱伝導を抑制するための断熱空間構成用の空隙が、棚部材と表示取付部材の表示部材取付部位との間に少なくとも１つ設けられていることその主たる特徴とする。
　この棚構造では、棚部材から表示取付部材の表示部材取付部位への熱伝導を抑制するための断熱空間構成用の空隙を、棚部材と表示取付部材の表示部材取付部位との間に少なくとも１つ設けてあるので、耐熱性が低い表示部材を商品加温用の棚部材に取り付けても、断熱空間構成用の空隙による断熱作用によって棚部材から表示部材への熱伝導を抑制して、表示部材が熱的ダメージによって変形や変色を生じることを防止できる。」（段落【０００８】〜【０００９】）
　ｃ．「棚部材１０は所定厚みの矩形板内に断熱材を充填してような構造を有しており、その左右幅は棚受け部材９の左右幅よりも僅かに小さい。ちなみに、図示例のショーケースでは上から２つの棚部材１０内に線状または面状のヒータＨが設けられおり、ヒータＨへの通電によるヒータ熱によって陳列商品を所定温度に加温することができる。」（段落【００１９】）
　ｄ．「先に述べたように、棚部材１０の前部には、棚部材１５を前後移動させる際に把持される把手１５が固着されている。この把手１５の左右長さは、棚部材１０の左右幅とほぼ一致している。図１０に正面図と縦断面図を示すように、把手１５は、耐熱性に優れたＡＢＳ等の樹脂から縦断面略コ字形に形成されており、上面後部には陳列商品の前方移動を規制するストッパ壁１５ａが設けられ、上面前部には後方に向けて湾曲した指掛け壁１５ｂが設けられている。また、把手１５の上面内側には、２つの横長凹部１５ｃと１５ｄが前後方向に間隔をおいて形成されている。さらに、把手１５の上面と下面との間には２つの隔壁１５ｅが前後方向に間隔をおいて設けられおり、この２つの隔壁１５ｅによって把手１５の内側に２つの横長空洞１５ｆと１５ｇが前後方向に間隔をおいて形成されている。さらにまた、把手１５の前面には、プレート状の表示部材ＩＰを取り付けるための横長凹部１５ｈとその上下縁に抜け落ち防止用のカラー１５ｉが設けられており、横長凹部１５ｈの内面は中央が前方に隆起した形状（符号１５ｈ１参照）をしている。ちなみに、前記のストッパ壁１５ａと指掛け壁１５ｂと横長凹部１５ｃ，１５ｄと隔壁１５ｅと横長空洞１５ｆ，１５ｇと横長凹部１５ｈとカラー１５ｉの左右長さは、把手１５の左右長さと一致している。
　この把手１５は、図１１に示すように、上面と下面と後側の隔壁１５ｅとによって形成された窪みを棚部材１０の前部に嵌め込み、複数のネジ（図示省略）を上面または上面及び下面から棚部材１０にねじ込むことで、棚部材１０の前部に固着される。」（段落【００３９】〜【００４０】）
　ｅ．「前記の表示部材ＩＰには「ＨＯＴ」や「ＣＯＬＤ」や「ＨＯＴ／ＣＯＬＤ」等の文字が印刷やフィルム張り付けによって設けられている。」（段落【００４１】）
　ｆ．「商品収納室７内を隙間開閉機構１１によって下側の冷却用空間と上側の加温空間とに区画して、上から２つの棚部材１０を商品加温用として用いる場合には、ヒータＨの熱が棚部材１０を通じて把手１５に伝わる。しかし、前記の把手１５では、棚部材１０とその前面に取り付けられた表示部材ＩＰとの間に断熱空間として２つの横長空洞１５ｆと１５ｇが存在し、これら空洞１５ｆと１５ｇによる断熱作用によって棚部材１０から表示部材ＩＰへの熱伝導を効果的に抑制することができる。つまり、表示部材ＩＰが塩化ビニール等の耐熱性の低い樹脂から形成されていても、この表示部材ＩＰが棚部材１０の熱によって熱的ダメージを受けて変形や変色を生じることを防止することができ、これにより、変形や変色を原因とした視覚印象の悪化や購買意欲の低下を未然に防止することができると共に、表示部材ＩＰの耐用時間も長くすることができる。」（段落【００４２】）
　ｇ．図７には、棚部材１０内の上部にヒータＨが設けられている点が図示されている。
　ｈ．図１１には、表示部材ＩＰを取り付けた把手１５の横長凹部１５ｈの部分を、棚部材１０の前面と横長空洞１５ｆ，１５ｇをおいて設けている点が図示されている。
　
　把手１５における「表示部材ＩＰを取り付けるための横長凹部１５ｈとその上下縁に抜け落ち防止用のカラー１５ｉ」（上記ｄ．参照）は、表示部材ＩＰを把手１５に取り付けるための部位であり、「表示部材取付部位」と称することができる。
　また、把手１５は、上記ｄ．に摘示したように、「上面と下面と後側の隔壁１５ｅとによって形成された窪み」を、棚部材１０の前部に嵌め込んで固着されるように構成されており、棚部材１０の前部への把手１５の固着部分を「固着部位」と称することができる。
　さらに、把手１５は、上記ｄ．に摘示したように、耐熱性に優れたＡＢＳ等の樹脂から縦断面略コ字形に形成されていること、及び、図１１に図示された把手１５全体に施されているハッチングの状態からみて、「表示部材取付部位」と「固着部位」は一体に形成されていることは明らかである。
　
　これらの記載事項及び図示内容を総合し、本願発明の記載ぶりに則って整理すると、引用例には、
「陳列商品が陳列される棚部材１０と、棚部材１０内の上部に設けられたヒータＨと、ＨＯＴやＣＯＬＤ等の文字が印刷された表示部材ＩＰが取り付けられる表示部材取付部位を有する把手１５とを備え、表示部材取付部位を棚部材１０の前面側に設けたショーケースにおいて、
　前記表示部材取付部位を、前記棚部材１０の前面と横長空洞１５ｆ，１５ｇをおいて設けるとともに、棚部材１０の前部に固着された固着部位を介して棚部材１０に取り付け、
　表示部材取付部位と固着部位とを一体に形成した
　ショーケース。」（以下、「引用発明」という。）
が記載されていると認められる。
　
３．対比
　そこで、本願発明と引用発明とを対比すると、引用発明における「陳列商品」「棚部材１０」及び「ＨＯＴやＣＯＬＤ等の文字が印刷された表示部材ＩＰ」が、本願発明における「商品」「棚」及び「商品の広告等に用いる表示部材」にそれぞれ相当することは明らかであり、引用発明の「ヒータＨ」は、棚部材１０内の上部に設けられているので、棚部材１０の上面側を加温することは明らかであるから、本願発明の「加温手段」に相当する。
　また、引用発明における「表示部材取付部位」が、その機能又は構造等からみて、本願発明の「表示部材保持部」に相当し、以下同様に、「横長空洞１５ｆ，１５ｇ」が「間隔」に、「固着」が「固定」に、「固着部位」が「取付部」に、それぞれ相当する。
　
　してみると、両者は、本願発明の用語を用いて表現すると、
「商品を載置する棚と、棚の上面側を加温する加温手段と、商品の広告等に用いる表示部材を保持する表示部材保持部とを備え、表示部材保持部を棚の前面側に設けたショーケースにおいて、
　前記表示部材保持部を、前記棚の前面と間隔をおいて設けるとともに、取付部を介して棚に取付けたショーケース。」
である点で一致し、次の点で相違する（かっこ内は対応する引用発明の用語を示す。）。
　
　相違点１：本願発明では、取付部が棚の下面側にのみ固定されているのに対して、引用発明では、 取付部（固着部位）が棚（棚部材１０）の前部に固定（固着）されている点。
　相違点２：本願発明では、表示部材保持部と取付部とを互いに連結された別部材によって形成したのに対して、引用発明では、表示部材保持部（表示部材取付部位）と取付部（固着部位）とを一体に形成した点。
　
４．当審の判断
　次に、上記相違点について検討する。
（１）相違点１について
　ショーケースにおいて、棚の下面側に固定された取付部を介して表示部材保持部を棚に取り付けることは、例えば実願平５−２５２７５号（実開平６−７７６１７号）のＣＤ−ＲＯＭ（図３参照）、特開平１１−７３１０８号公報（図６参照）、実願平３−７１４０６号（実開平５−２１７６０号）のＣＤ−ＲＯＭ（図３参照）、実願昭６３−７６９４６号（実開平１−１７９５６３号）のマイクロフィルム（第４図参照）などに見られるように従来周知の技術にすぎず、しかも、引用発明が、棚の上面側を加温する加温手段を備えたものであって、棚から表示部材への熱伝導を抑制し、表示部材の熱的ダメージを防止することを課題としたものであることを考慮すると、引用発明において、棚の上面側に設けられた加温手段からできるだけ離れた位置である、棚の下面側にのみ取付部を固定することは、当業者であれば容易に想到できたことである。
　したがって、相違点１に係る本願発明の発明特定事項は、当業者が容易に想到できたものである。
（２）相違点２について
　表示部材保持部と取付部とを互いに連結された別部材によって形成したショーケースは、例えば実公昭５４−２２６０３号公報（第６図の支持具１５とカードホルダー１７を参照）、実公昭５５−４２２２６号公報（第１図の支持具８とカードホルダー９を参照）、特開平８−１５４７９１号公報（図４参照）などに見られるように従来周知であるから、表示部材保持部と取付部とが一体に形成された引用発明において、それぞれの要求される特性などを考慮して、それらを別部材によって形成し互いに連結する構成とすることは、当業者が容易に想到できたことである。
　したがって、相違点２に係る本願発明の発明特定事項は、当業者が容易に想到できたものである。
　
　そして、本願発明の効果も、引用発明及び上記周知技術から当業者が予測できる範囲内のものであって、格別なものとはいえない。
　
５．むすび
　以上のとおり、本願発明は、引用発明及び上記周知技術に基いて、当業者が容易に発明をすることができたものであるから、特許法第２９条第２項の規定により特許を受けることができない。
　よって、結論のとおり審決する。